(57)【要約】      （修正有）【課題】冷熱または温熱を蓄熱して放出する蓄熱パックに関し、保冷対象や保温対象の形状形状等に応じて自在な連結ができる蓄熱パックを提供する。【解決手段】蓄熱パック１１は、扁平な略四角柱状をなす略四角柱状体で、冷熱または温熱を蓄熱するものであって、前記四角柱の四側面のうち二側面に第１連結部１２１がそれぞれ形成され、残りの二側面に第２連結部１２２がそれぞれ形成され、第１連結部１２１と第２連結部１２２とは互いに連結する形状に構成されているものである。【選択図】図２
0003106402.tif 000002
【実用新案登録請求の範囲】
【請求項１】
扁平な略四角柱状をなす略四角柱状体で、冷熱または温熱を蓄熱する蓄熱パックであって、
前記略四角柱状体の四側面のうち二側面に第１連結部がそれぞれ形成され、残りの二側面に第２連結部がそれぞれ形成され、前記第１連結部と前記第２連結部とは互いに連結する形状に構成されている
ことを特徴とする蓄熱パック。
【請求項２】
前記第１連結部が形成された側面に対向する側面に、前記第２連結部が形成されていることを特徴とする請求項１に記載の蓄熱パック。
【考案の詳細な説明】
【技術分野】
【０００１】
本考案は、自在な連結ができる蓄熱パックに関する。
【背景技術】
【０００２】
従来、クーラボックスは、簡便な保冷手段として、アウトドアスポーツ、行楽、キャンプ等に際して広く使用されている。この種のクーラボックスには、冷却した保冷パックが内蔵され、収容した飲料水や食品等を保冷しておくことができる。また、クーラボックスは医療分野においても使用され、検体，薬品等の輸送に際して、これらを低温状態に保持することができる。
【０００３】
図１（Ａ）に示すように冷却パック９１はポリエチレンを基材とするプラスチック容器に保冷剤が充填されて構成される。予め冷却しておいた複数の冷却パック９１は、図１（Ｂ）に示すような断熱機能を備えたクーラボックス９２内に保冷対象とともに収容される。通常、冷却パック９１は、保冷対象の周囲に冷気の壁が作られるように、適宜の配置で収容される。
【考案の開示】
【考案が解決しようとする課題】
【０００４】
しかし、従来の冷却パック９１は、輸送中にクーラボックス９２内で移動してしまうことがある。たとえば、クーラボックス９２の大きさが大きい場合に、冷却パック９１と保冷対象とが離れてしまい、保冷対象の周囲に冷気の壁が形成されなくなる等、効率的な保冷ができなくなる。
【０００５】
特に、保冷対象が検体や薬品の場合には、当該検体や薬品が収められたガラス容器等が冷却パック９１が衝突することにより損傷してしまうおそれもある。
【０００６】
本考案の目的は、保冷対象や保温対象の形状等に応じて、適宜、連結を行うことで効率のよい保冷や保温を実現できる蓄熱パックを提供することにある。
【課題を解決するための手段】
【０００７】
請求項１記載の蓄熱パックは、扁平な略四角柱状をなす略四角柱状体で、冷熱または温熱を蓄熱する蓄熱パックであって、前記略四角柱状体の四側面のうち二側面に第１連結部がそれぞれ形成され、残りの二側面に第２連結部がそれぞれ形成され、前記第１連結部と前記第２連結部とは互いに連結する形状に構成されている。
【０００８】
また、請求項２記載の蓄熱パックは、請求項１記載の蓄熱パックにおいて、第１連結部が形成された側面に対向する側面に、第２連結部が形成されているものである。
【考案の効果】
【０００９】
蓄熱パックの連結個数や連結態様を自在に変更することで、保冷対象または保温対象の形状等に応じた冷熱や温熱を確保することができる。蓄熱パックは、複数を敷設することもできるし立設することもできるので、たとえば、蓄熱パックを蓄熱パック収容容器に収納して使用する際には、保冷対象または保温対象を均一に保冷または保温することができる。
【００１０】
また、蓄熱パックは連結できるので、保冷対象または保温対象とともに蓄熱パック収容容器に収容して輸送する場合に、蓄熱パックが移動することもないので、所期の保冷状態または保温状態を維持することができるし、蓄熱パックの衝突により保冷対象または保温対象が損傷するおそれは生じない。
【考案を実施するための最良の形態】
【００１１】
図２および図３（Ａ）〜（Ｃ）により、本考案の蓄熱パックの一実施形態を説明する。図２は、敷設して用いる蓄熱パック１１の斜視図、図３（Ａ）は蓄熱パック１１の底面図、図３（Ｂ）は図３（Ａ）のＡ方向から見た蓄熱パック１１の側面図、図３（Ｃ）は図３（Ａ）の矢印Ｂ−Ｂ方向から見た蓄熱パック１１の断面図である。
【００１２】
図２および図３（Ａ）〜（Ｃ）に示す蓄熱パック１１は、全体が扁平な略四角柱状（本実施形態では、平面視が略正方形）をなす略四角柱状体である。蓄熱パック１１は、典型的には、ブロー成形により形成した、ポリエチレン等を基材とするプラスチック（典型的にはポリエチレン）からなる。
【００１３】
蓄熱パック１１には、冷媒または温媒が充填されており、冷熱または温熱を蓄熱することができる。蓄熱パック１１に充填される内容物（冷媒または温媒）として、たとえば、高吸収性ポリマー、ＣＭＣ（カルボキシメチルセルロース）、グアガム等が体積比０．１〜１０％の範囲で含まれており、寒剤として多価アルコールが０．１〜３０％含まれていることが望ましい。もちろん、冷媒として水を使用することもできる。温媒としては、ポリエチレングリコール等である。
蓄熱パック１１の四側面（四角柱の側面Ｓ１，Ｓ２，Ｓ３，Ｓ４）のうち二側面（本実施形態ではＳ１，Ｓ４）に、第１連結部１２１がそれぞれ形成され、残りの二側面（本実施形態ではＳ２，Ｓ３）に第２連結部１２２がそれぞれ形成されている。
【００１４】
これら第１連結部１２１と第２連結部１２２とは互いに連結する形状に構成されており、本実施形態では、第１連結部１２１はオス型（ここでは、「あり」）が形成され第２連結部１２２はメス型（「あり溝」）が形成されている。なお、図２、図３では、第１連結部１２１が形成された側面Ｓ１（又はＳ２）に対向する側面Ｓ３（又はＳ４）に、第２連結部１２２が形成されているが、第１連結部１２１が形成された側面に対向する側面にも第１連結部１２２を形成する（すなわち、第１連結部１２１が形成された側面に隣接する二側面に第２連結部１２２を形成する）ようにもできる。
【００１５】
蓄熱パック１１の側面Ｓ１には、冷媒または温媒の注入口が設けられており、この注入口はキャップＣにより閉じられている。
【００１６】
蓄熱パック１１の上面Ｓ５と底面Ｓ６には溝Ｇが形成されている。この溝Ｇも、連通孔Ｈと同様に、蓄熱パック１１の放熱または蓄熱を促進することができる。また、蓄熱パック１１の底面Ｓ６の四個所にはバンプＵが設けられている。このバンプＵは、蓄熱パック１１が収容される蓄熱パック収容容器等の底面との間に空隙を形成することができる。この空隙により蓄熱パック１１の放熱または蓄熱をさらに促進することができる。
【００１７】
図４（Ａ），（Ｂ）に、本考案の他の実施形態を示す。図４（Ａ），（Ｂ）では、蓄熱パック１１が、蓄熱パック収容容器２内に連結して敷設されている。図４（Ａ）の蓄熱パック収容容器２と、図４（Ｂ）の蓄熱パック収容容器２とは異なる大きさであるが蓄熱パック１１の連結個数を自在に変更することができるので、必要とする冷熱または温熱を提供することができる。また、保冷対象または保温対象の形状に応じて、適宜、蓄熱パック１１の連結態様を変更するこことができる。なお、各蓄熱パック１１は、連結されているので、移動することにより保冷対象または保温対象が損傷するといったおそれは生じない。蓄熱パック収容容器２は、クーラボックス等、通常は蓋体を有し、底面、側面、蓋体は断熱材により形成される（図１のクーラボックス９２参照）。
【図面の簡単な説明】
【００１８】
【図１】図１（Ａ）は従来の冷却パックを示す図、図１（Ｂ）は、図１（Ａ）の保冷パックを用いたクーラボックスを示す図である。
【図２】図２は、蓄熱パックの一実施形態を示す斜視図である。
【図３】図３（Ａ）は、図２の蓄熱パックの底面図、図３（Ｂ）は、図３（Ａ）のＡ方向から見た蓄熱パックの側面図、図３（Ｃ）は、図３（Ａ）の矢印Ｂ−Ｂ方向から見た蓄熱パックの断面図である。
【図４】図４は、図２と異なる他の実施形態を示す図であり、図４（Ａ），（Ｂ）は、蓄熱パック収容容器の大きさが異なる場合の図２および図３に示した蓄熱パックの収容状態を示す図である。
【符号の説明】
【００１９】
１１    蓄熱パック
１２１  第１連結部
１２２  第２連結部
【図１】
0003106402.tif 000003
【図２】
0003106402.tif 000004
【図３】
0003106402.tif 000005
【図４】
0003106402.tif 000006